(57)【要約】【課題】  ディフューザの取り扱い性を向上させる。【解決手段】  拡散シート５５は、上端側がホルダ５３の前端部に支持され、下端側が巻き取り軸５７に支持され、モータ６９の回転に伴って、待避位置と使用位置との間を移動する。待避位置は、巻き取り軸５７が拡散シート５５を巻き取ることによって、拡散シート５５がユニット収容部２７に収納される位置であり、ディフューザ不使用時にはこの位置にセットされる。使用位置は、巻き取り軸５７が拡散シート５５を巻き緩めることによって、ホルダ５３がバネ６３の付勢により拡散シート５５を巻き取り軸５７からを引き出して、発光部３３と対面させる位置であり、ディフューザ使用時にはこの位置にセットされる。制御部７０はカメラの撮影モードに応じてモータ６９の駆動制御を行う。撮影モードに応じて拡散シート５５が自動的に移動するので取り扱い性が向上する。【選択図】        図５
2005156974.tif 000002
【特許請求の範囲】
【請求項１】
ストロボ発光部が、カメラ本体内部に収納する収納位置と、カメラ本体外部へ突出させる発光位置との間で移動自在のストロボ装置を備えたカメラに用いられるストロボディフューザ装置において、
透過する光を拡散させる光拡散部材と、前記光拡散部材を、カメラ本体内部に格納する待避位置と、カメラ本体外部へ突出させ、前記発光位置にあるストロボ発光部の前方に配置する使用位置との間で移動自在に保持する移動機構とを備えたことを特徴とするストロボディフューザ装置。
【請求項２】
前記移動機構は、一端がカメラ本体に軸着されて回動自在であるとともに、他端が前記光拡散部材と連結されたホルダを備え、前記光拡散部材は、前記ホルダの回動に伴って前記使用位置と待避位置との間を移動することを特徴とする請求項１記載のストロボディフューザ装置。
【請求項３】
前記光拡散部材は、複数の折り返し線が形成された板状の部材であり、前記ホルダの回動に伴い、折り畳まれて前記待避位置へ移動し、引き延ばされて前記使用位置へ移動することを特徴とする請求項２記載のストロボディフューザ装置。
【請求項４】
前記光拡散部材は、柔軟性を有する材料によって形成されたシート状の部材であり、前記ホルダの回動に伴い、巻き取られて前記待避位置へ移動し、引き延ばされて前記使用位置へ移動することを特徴とする請求項２記載のストロボディフューザ装置。
【請求項５】
前記光拡散部材が使用位置へ向けて移動するように、前記ホルダを付勢する付勢手段と、前記付勢手段の付勢に抗して前記光拡散部材が待避位置に止まるように前記ホルダを係止する係止手段と、前記係止手段の係止を解除する係止解除手段とを設けたことを特徴とする請求項２〜４いずれか記載のストロボディフューザ装置。
【請求項６】
前記係止解除手段は、カメラ本体から露呈するように設けられた操作部材を備え、この操作部材の操作に応じて前記係止を解除することを特徴とする請求項５記載のストロボディフューザ装置。
【請求項７】
前記係止解除手段は、コイルに電力を供給することで発生する電磁力によって係止を解除するものであり、カメラから供給される駆動信号に応じて前記係止を解除することを特徴とする請求項５記載のストロボディフューザ装置。
【請求項８】
前記移動機構は、モータにより駆動されて、前記光拡散部材を待避位置と使用位置との間で移動させることを特徴とする請求項１〜５いずれか記載のストロボディフューザ装置。
【請求項９】
請求項７記載のストロボディフューザ装置を備えたカメラであり、
前記ストロボ装置の発光の有無や発光量、及び、前記光拡散板の位置を決定する複数の撮影モードを備えるとともに、
前記係止解除手段に前記駆動信号を供給する駆動制御手段を備え、この駆動制御手段は、前記撮影モードに応じて、前記係止解除手段に駆動信号を供給して、前記光拡散板を使用位置へ移動させることを特徴とするカメラ。
【請求項１０】
請求項８記載のストロボディフューザ装置を備えたカメラであり、
前記ストロボ装置の発光の有無や発光量、及び、前記光拡散板の位置を決定する複数の撮影モードを備えるとともに、
前記モータの駆動を制御するモータ制御手段を備え、このモータ制御手段は、前記撮影モードに応じて、前記光拡散板を使用位置と収納位置との間で移動させることを特徴とするカメラ。
【発明の詳細な説明】
【技術分野】
【０００１】
本発明は、ストロボ発光部を、カメラ本体内部に収納する収納位置とカメラ本体外部へ突出させる発光位置との間で移動自在にするポップアップ式ストロボ装置を備えたカメラ及び、このようなカメラに用いられるストロボディフューザ装置に関するものである。
【背景技術】
【０００２】
ストロボ発光部を、カメラ本体内部に収納する収納位置と、カメラ本体外部へ突出させる発光位置との間で移動自在にするポップアップ式ストロボ装置を備えたカメラがある。これによれば、ストロボ撮影時にストロボ発光部を撮影レンズの光軸から遠ざけることができるので、いわゆる赤目現象を軽減することができる。また、ストロボ不使用時には、ストロボ発光部をカメラ本体内に収納することで、携帯性の向上と、外観デザイン性の向上とを図ることができる。
【０００３】
しかし、ストロボ発光部を撮影レンズの光軸から遠ざけると、赤目現象の軽減には効果があるものの、被写体に影が出てしまうといった問題がある。この問題は、特に近接撮影時に顕著に現れ、撮影画像は、強い反射と強い影のあるものとなってしまう。このため、下記特許文献１には、光拡散板によりストロボ光を拡散させて、被写体をまんべんなく照明できるようにしたディフューザ装置が記載されている。この装置によれば、被写体の明暗の差を少なくして、暖かみのある画像が得られるようになる。
【０００４】
【特許文献１】特開平７−９２５２７号公報
【発明の開示】
【発明が解決しようとする課題】
【０００５】
しかしながら、上記特許文献記載のディフューザ装置は、カメラとは別体に設けられているので、取り付け、取り外しが面倒であったり、携帯する際にかさばってしまうといった問題があった。また、一般のユーザーは、どのような状況でディフューザ装置を使用したらよいか分からない場合があり、効果的に活用することが難しかった。
【０００６】
本発明は、取り扱い性を向上することができるとともに、有効に活用できるディフューザ装置及びカメラを提供することを目的とする。
【課題を解決するための手段】
【０００７】
上記目的を達成するために、本発明のディフューザ装置は、透過する光を拡散させる光拡散部材と、前記光拡散部材を、カメラ本体内部に格納する待避位置と、カメラ本体外部へ突出させ、前記発光位置にあるストロボ発光部の前方に配置する使用位置との間で移動自在に保持する移動機構とを備えたことを特徴としている。
【０００８】
前記移動機構は、一端がカメラ本体に軸着されて回動自在であるとともに、他端が前記光拡散部材と連結されたホルダを備え、前記光拡散部材は、前記ホルダの回動に伴って前記使用位置と待避位置との間を移動するものでもよい。
【０００９】
前記光拡散部材は、複数の折り返し線が形成された板状の部材であり、前記ホルダの回動に伴い、折り畳まれて前記待避位置へ移動し、引き延ばされて前記使用位置へ移動するものでもよい。また、前記光拡散部材は、柔軟性を有する材料によって形成されたシート状の部材であり、前記ホルダの回動に伴い、巻き取られて前記待避位置へ移動し、引き延ばされて前記使用位置へ移動するものでもよい。
【００１０】
前記光拡散部材が使用位置へ向けて移動するように、前記ホルダを付勢する付勢手段と、前記付勢手段の付勢に抗して前記光拡散部材が待避位置に止まるように前記ホルダを係止する係止手段と、前記係止手段の係止を解除する係止解除手段とを設けてもよい。また、前記係止解除手段は、カメラ本体から露呈するように設けられた操作部材を備え、この操作部材の操作に応じて前記係止を解除するものでもよい。また、前記係止解除手段は、コイルに電力を供給することで発生する電磁力によって係止を解除するものであり、カメラから供給される駆動信号に応じて前記係止を解除するものでもよい。さらに、前記移動機構は、モータにより駆動されて、前記光拡散部材を待避位置と使用位置との間で移動させるものでもよい。
【００１１】
また、本発明のカメラは、前記係止解除手段が、コイルに電力を供給することで発生する電磁力によって係止を解除するものであり、前記ストロボ装置の発光の有無や発光量、及び、前記光拡散板の位置を決定する複数の撮影モードを備えるとともに、前記係止解除手段に前記駆動信号を供給する駆動制御手段を備え、この駆動制御手段は、前記撮影モードに応じて、前記係止解除手段に駆動信号を供給して、前記光拡散板を使用位置へ移動させることを特徴とするものである。
【００１２】
さらに、本発明のカメラは、前記移動機構が、モータにより駆動されて、前記光拡散部材を待避位置と使用位置との間で移動させるものであり、前記ストロボ装置の発光の有無や発光量、及び、前記光拡散板の位置を決定する複数の撮影モードを備えるとともに、前記モータの駆動を制御するモータ制御手段を備え、このモータ制御手段は、前記撮影モードに応じて、前記光拡散板を使用位置と収納位置との間で移動させることを特徴とするものである。
【発明の効果】
【００１３】
本発明のディフューザ装置は、不使用時にカメラ本体内部に格納できるようにしたので、取り付けや取り外しの必要が無く、携帯する際にもかさばることもないので、取り扱い性を向上させることができる。また、本発明のカメラは、撮影モードに応じて自動的にディフューザ装置が移動するようにしたので、写真に対する専門知識がなくても扱いやすく、有効活用することができる。
【発明を実施するための最良の形態】
【００１４】
図１、図２、図３に、本発明のディフューザ装置を備えたカメラの外観図を示す。図１は、ストロボとディフューザのどちらも使用しない状態を示し、図２は、ストロボのみを使用する状態を示している。また、図３は、ストロボとディフューザの両方を使用する状態を示している。
【００１５】
カメラ１０は、本体基部１３と、ストロボ発光部ユニット１５とからなる。本体基部１３の前面には、撮影レンズ１７が組み込まれたズームレンズ鏡筒１９と，被写体照度を測定するための測光センサ２０が設けられている。本体基部１３の上面には、シャッタボタン２３が配置されており、その前方には、撮影モード設定ダイヤル２５が設けられている。カメラ１０は、通常撮影モードに加え、暖かみの画像を得たい場合に用いられるポートレート撮影モードが設けられており、撮影モード設定ダイヤル２５を操作することによってこれら各モードの切り替えを行うことができる。
【００１６】
本体基部１３の上面には、鏡筒１９の上方に突き出されるようにストロボ発光部ユニット１５が取り付けられるとともに、これを収納するユニット収容部２７が形成されている。このユニット収容部２７は、その底面で鏡筒１９と係合することでぐらつかないようにしっかりと固定される。
【００１７】
図４に示すように、ストロボ発光部ユニット１５は、発光ユニット３０とディフューザユニット５０とからなる。発光ユニット３０には、発光部３３と、発光部３３を保持するケース３５とが設けられ、ケース３５の前面側から発光部３３が露呈している。発光部３３は、周知のように、放電管，リフレクタ，拡散板とからなり、カメラ１０の制御部（図５の符号７０参照）から送られるトリガー信号を受けて発光する。
【００１８】
ケース３５には、その後端部に一対のステー（支柱）３７、３９が後方に向かって延設されている。一対のステー３７，３９は、ケース３５をユニット収納部４２に取り付けるための支持部である。ユニット収容部２７の上部には、取り付け部４０が形成され、各ステー３７，３９の後端部と、取り付け部４０とは軸４３によって連結される。これにより、ケース３５はこの軸４３を中心に回動自在に保持される。
【００１９】
ステー３７の下部には歯車部３７ａが形成され、この歯車部３７ａにはギア４５が歯合している。ギア４５には、回転軸４５ａに沿って螺旋状の歯４５ｂが形成されている。螺旋状の歯４５ｂは、ギア４５が回転したときに、歯車部３７ａを回転軸４５ａ方向に移動させる。回転軸４５ａにはモータ４７が直結され、モータ４７の回転に伴ってギア４５が回転する。モータ４７としては、例えば、与えられた駆動パルスの個数に応じて所定量回転するステッピングモータが使用される。モータ４７及びギア４５は、ユニット収容部２７に取り付けられて、保持されている。
【００２０】
モータ４７がＡ方向に回転するとギア４５もＡ方向に回転し、歯車部３７ａがモータ４７側に引き付けられるようにＣ方向へ移動する。これによって、ケース３５が収納位置へ移動する。また、モータ４７がＢ方向に回転するとギア４５もＢ方向に回転し、歯車部３７ａがモータ４７と反対方向に押し出されるようにＤ方向へ移動する。これによりケース３５が発光位置へ移動する。収納位置は、発光部３３を本体基部１３内に収納する位置であり、ストロボ不使用時にはこの位置にセットされる（図１参照）。発光位置は、発光部３３が本体基部１３外に突出される位置であり、ストロボ使用時にはこの位置にセットされる（図２、図３参照）。
【００２１】
ディフューザユニット５０には、ホルダ５３、拡散シート５５、巻き取り軸５７が設けられている。拡散シート５５は、矩形で薄型の、例えば、布やプラスチックシートなどが用いられ、柔軟性を有するとともに透過する光を拡散させる。拡散シート５５は、上端側がホルダ５３に連結され、下端側が巻き取り軸５７に連結され、これらにより両側から支持されている。
【００２２】
ホルダ５３は、ケース３５の周囲を囲むように設けられ、前端側に拡散シート５５が取り付けられている。ホルダ５３の後端部には、一対のステー（支柱）５９、６０が後方に向かって延設されている。一対のステー５９、６０は、ホルダ５３をユニット収容部２７に取り付けるための支持部である。各ステー５９、６０はケース３５のステー３７、３９のそれぞれ外側に配置され、ケース３５と同じ軸４３によって取り付け部４０に連結される。これにより、ホルダ５３はこの軸４３を中心に回動自在に保持される。また、ホルダ５３は、バネ６３により、本体基部１３から遠ざかるように付勢されている。
【００２３】
巻き取り軸５７は、ホルダ５３の前端側の下方に設けられ、ユニット収容部２７により支持されている。巻き取り軸５７の外周面には、長手方向に沿って拡散シート５５が取り付けられている。また、巻き取り軸５７の一端部には、歯車６５が一体に形成されており、この歯車６５にはギア６７が歯合している。ギア６７は、ギア４５と同様に、回転軸６７ａの外周面に螺旋状の歯６７ｂが形成されている。回転軸６７ａにはモータ６９が直結され、ギア６７はモータ６９の回転に伴って回転する。モータ６９としては、例えば、ステッピングモータが使用される。モータ６９及びギア６７もまたユニット収容部２７により支持されている。
【００２４】
モータ６９がＥ方向へ回転するとギア６７もＥ方向へ回転し、歯車６５がＧ方向へ回転して、拡散シート５５が巻き取り軸５７に巻き付けられる。このとき、ホルダ５３は、バネ６３の付勢に抗して本体基部１３側に引きつけられて、待避位置へと移動する。モータ６９がＦ方向へ回転するとギア６７がＦ方向へ回転し、歯車６５がＨ方向へ回転して、拡散シート５５が巻き取り軸５７から巻緩められる。このとき、ホルダ５３は、バネ６３の付勢により本体基部１３から離れて、使用位置へと移動する。
【００２５】
待避位置は、巻き取り軸５７が拡散シート５５を巻き取ることによって、拡散シート５５が本体基部１３内部に収納される位置であり、ディフューザ不使用時にはこの位置にセットされる（図１、図２参照）。使用位置は、巻き取り軸５７が拡散シート５５を巻き緩めることによって、ホルダ５３がバネ６３の付勢により拡散シート５５を巻き取り軸５７からを引き出して、発光部３３の前面に配置する位置であり、ディフューザ使用時にはこの位置にセットされる（図３参照）。このとき、ディフューザユニット５０は、発光位置の発光ユニットよりも高い位置まで立ち上がるようになっており、ホルダ５３の前端部によって発光部３３からのストロボ光がケラれることのないようにしてある。
【００２６】
このように、発光ユニット３０と、ディフューザユニット５０とは移動自在であり、不使用時には本体基部１３内に収納できるので、カメラ１０の外観デザイン性と携帯性とを向上させることができる。また、発光ユニット３０と、ディフューザユニット５０は、螺旋状の歯が形成されたギアの回転によって移動する。このようなギアは、回転軸を中心にしたモータの回転によっては簡単に回転するが、回転軸と直交した回転面を有する歯車などを回転させることによりギアを回転させようとしても、ほとんど回転しない。このため、発光ユニット３０や、ディフューザユニット５０は、モータの回転が停止した後も同じ位置に係止され、接触などにより移動してしまうといったことがない。
【００２７】
図５に、発光ユニット３０とディフューザユニット５０の移動を制御する移動制御機構の電気的な構成を示す。カメラ１０の内部には、カメラ１０の各部を統括制御する制御部７０が設けられている。発光ユニット３０とディフューザユニット５０もまた制御部７０によって駆動制御される。制御部７０は、シャッタボタン２３や、モード設定ダイヤル２５から入力される操作信号、及び、測光センサ２０から得られる被写体照度情報に基づいて、発光ユニット３０とディフューザユニット５０の駆動制御を行う。
【００２８】
発光ユニット３０を移動させるモータ４７、及び、ディフューザユニット５０を移動させるモータ６９は、それぞれモータドライバ７７、７９を介することにより制御部７０と接続されている。各モータドライバ７７、７９は、制御部７０からの駆動信号に基づいた所定個数の駆動パルスを接続された各モータ４７、６９に供給する。
【００２９】
制御部７０には、カウンタ７７、７９が設けられている。カウンタ７７は、モータ４７に供給した駆動パルスの個数をカウントし、カウンタ７９は、モータ６９に供給した駆動パルスの個数をカウントしている。また、制御部７０には、ＲＯＭ８０が設けられ、発光ユニット３０が収納位置や発光位置に移動したときのカウンタ７７の値、及び、ディフューザユニット５０が待避位置や使用位置に移動したときのカウンタ７９の値を記憶している。制御部７０は、カウンタ７７、７９とＲＯＭ８０とを比較することによって、発光ユニット３０やディフューザユニット５０の位置を検知するとともに、モータ４７、６９に供給する駆動パルスの個数を調節することで、これらを所望の位置まで移動させる。
【００３０】
カメラ１０が通常撮影モードにセットされているときに制御部７０は、シャッタボタン２３が半分押された時点で、測光センサ２０を駆動して被写体照度情報を調べる。そして、被写体照度が予め設定された基準照度を下回る場合には、モータ４７を回転させて、発光ユニット３０を発光位置まで移動させる。そして、シャッタボタン２３が全部押された時点で、発光部３３にトリガー信号を送信するとともに撮影を行う。これにより撮影と同時に発光部３３が発光して、ストロボを使用した撮影が行われる。被写体照度が基準照度を上回っている場合には、発光ユニット３０は収納位置のままで撮影が行われる。
【００３１】
一方、カメラ１０がポートレート撮影モードにセットされているときに制御部７０は、シャッタボタン２３が半分押された時点で、モータ４７を回転させて、発光ユニット３０を発光位置まで移動させるとともに、モータ６９を回転させて、ディフューザユニット５０を使用位置まで移動させる。そして、シャッタボタン２３が全部押された時点で、発光部３３にトリガー信号を送信するとともに撮影を行う。これにより撮影と同時に発光部３３が発光して、ストロボ及びディフューザを使用した撮影が行われる。
【００３２】
ストロボ及びディフューザを使用した撮影では、発光部３３と被写体との間には、拡散シート５５が配置されている。前述したように、発光部３３にも拡散板が設けられ、ストロボ光を拡散させるようにしているが、発光部３３と被写体との間に拡散シート５５を配置することによってストロボ光はさらに十分に拡散され、被写体をまんべんなく照明することができる。撮影終了後には、発光ユニット３０は収納位置に、ディフューザユニット５０は待避位置に移動される。
【００３３】
以下、本発明の作用について、図６に示すフローチャートをもとに説明をする。撮影者は、カメラ１０の電源をオンした後、撮影モード設定ダイヤル２５を回転させて通常撮影モードやポートレート撮影モードにセットし、シャッタボタン２３を押下することで撮影を行うことができる。
【００３４】
通常撮影モードでは、シャッタボタン２３が半分押下された時点で、被写体照度が測定される。このとき、測定された被写体照度が、予め設定された基準照度を下回り、被写体の明るさが不足している場合には、発光部３３が本体基部１３から突出した発光位置へと移動する。そして、シャッタボタン２３が最後まで押下されると、発光部３３が発光し、ストロボを使用した撮影が行われる。このとき、発光部３３は撮影光軸から離された状態で発光するので、赤目現象を防止することができる。測定された被写体照度が、予め設定された基準照度を上回り、被写体が十分に明るい場合には、発光部３３は本体基部１３の内部に収容された収納位置から移動しない。そして、シャッタボタン２３を最後まで押下することでストロボを使用せずに撮影が行われる。
【００３５】
一方、ポートレート撮影モードでは、シャッタボタン２３が半分押下された時点で、発光部３３が発光位置に移動する。また、拡散シート５５が発光位置にある発光部３３と対面する使用位置に移動する。そして、シャッタボタン２３が最後まで押下されると、発光部３３が発光し、ストロボ及びディフューザを使用した撮影が行われる。この撮影では、発光部３３からのストロボ光が拡散シート５５によって拡散されるので、被写体をまんべんなく照明することができる。このため、被写体の明暗がはっきりしてしまうといったことがなく、暖かみのある画像を撮影できる。
【００３６】
このように、カメラ１０は、拡散シート５５を本体基部１３内部に格納された待避位置と、発光部３３と対面しストロボ光を拡散させる使用位置との間で移動させるようにしたので、取り付け、取り外しが面倒であったり、携帯する際にかさばってしまうといったことがない。また、拡散シート５５は、撮影の際にモータによって自動的に使用位置に移動するようにしたので、撮影者がどのような状況で拡散シート５５を使用したらよいのか混乱してしまうといったことがなく、有効に活用することができる。
【００３７】
上記実施形態では、巻き取られて待避位置に移動する布状の拡散シートを用いる例で説明をしたが、図７に示すように、板状の拡散板９０を設けてもよい。なお、図７、図８においては、上述した実施形態と同一の部材については同一の符号を付して説明をする。
【００３８】
拡散板９０は、矩形の板状であり、その上端側がホルダ５３の前端部に軸着されて回動自在に支持されている。また、ユニット収容部２７には、一対のガイドレール９３が設けられ、拡散板９０の下端側は、このガイドレール９３によりその両端側から移動自在に支持されている。そして、拡散板９０は、ホルダ５３の回動に伴って、押し込まれるように待避位置へと移動し、引き出されるように使用位置へと移動する。
【００３９】
また、図８に示す、拡散板９５のように、折り畳まれて待避位置に移動するようにしてもよい。拡散板９５は、上端側がホルダ５３の前端部に、下端側がユニット収容部２７にそれぞれ回動自在に支持されている。また、拡散板９５には、カメラの幅方向と平行に複数の折り返し線が設けられている。そして、拡散板９５は、ホルダ５３の回動に伴って、折り返し線に沿って折り畳まれて待避位置へと移動し、引き延ばされて使用位置へと移動する。
【００４０】
なお、上記実施形態において、ディフューザは、待避位置と使用位置との間をモータの回転により移動する説明をしたが、モータによらずディフューザを移動させるようにしてもよい。モータを設けない場合には、ディフューザを使用位置へ向けて付勢するバネと、このバネの付勢に抗してディフューザを待避位置に係止する係止手段と、この係止手段の係止を解除する係止解除手段とを設ける。そして、必要に応じて係止解除手段により係止を解除するようにすればよい。
【００４１】
係止手段としては、例えば、ホルダには係止孔を設け、ユニット収容部には係止爪を設けて、これらを係合させることにより、ディフューザを待避位置に係止するといったこが考えられる。また、係止解除手段としては、例えば、ユーザーの押圧操作によって係止を解除する操作部材を設けるといったことや、コイルに電流を流すことによって発生する電磁力によって前記係止爪を移動させて係止を解除するといったことが考えられる。このようにすると、バネの付勢により使用位置に移動したディフューザを再び待避位置まで戻すためには、ユーザーが移動させなければならないが、モーターを設けないのでカメラの小型化や軽量化及びコストの削減をすることが可能である。
【００４２】
なお、上記実施形態では、通常撮影モードとポートレート撮影モードの２種類の撮影モードを設ける例で説明をしたが、これら以外の撮影モードを設けてもよい。また、上記実施形態では、通常撮影モードではディフューザを使用しない例で説明をしたが、通常撮影モードにおいても、被写体照度や被写体との距離などの撮影条件に応じて、ディフューザを使用するようにしてもよい。さらに、上記実施形態では特に触れなかったが、ポートレート撮影モードでは、ディフューザを使用する以外にも、シャッタスピードや露出などの設定を通常撮影モードとは変化させるようにしてもよい。こうすることで、より暖かみのある画像を撮影できる。
【図面の簡単な説明】
【００４３】
【図１】ストロボ及びディフューザ不使用時のカメラの外観図である。
【図２】ストロボ使用時、ディフューザ不使用時のカメラの外観図である。
【図３】ストロボ及びディフューザ使用時のカメラの外観図である。
【図４】ストロボ発光部ユニットの分解図である。
【図５】発光ユニット及びディフューザユニットの移動制御機構を表す電気的構成図である。
【図６】撮影の流れを表すフローチャートである。
【図７】板状の拡散板を用いたディフューザユニットの側面図である。
【図８】板状の拡散板を用いたディフューザユニットの側面図である。
【符号の説明】
【００４４】
１０    カメラ
１３    本体基部
１５    ストロボ発光部ユニット
２０    測光センサ
２３    シャッタボタン
２５    撮影モード設定ダイヤル
２７    ユニット収容部
３０    発光ユニット
３３    発光部
４０    取り付け部
４３    軸
４７、６９    モータ
５０    ディフューザユニット
５３    ホルダ
５５    拡散シート
５７    巻き取り軸
６３    バネ
７０    制御部
９０、９５    拡散板
９３    ガイドレール
【図１】
2005156974.tif 000003
【図２】
2005156974.tif 000004
【図３】
2005156974.tif 000005
【図４】
2005156974.tif 000006
【図５】
2005156974.tif 000007
【図６】
2005156974.tif 000008
【図７】
2005156974.tif 000009
【図８】
2005156974.tif 000010